(57)【要約】【課題】衛星からの複数の送信信号を選択的に受信可能な衛星放送受信装置において、低消費電力化を図る。【解決手段】衛星から送信された複数の信号にそれぞれ対応して設けられ、各々が、対応する信号を周波数変換して出力するための複数の信号変換部と、電気的な信号を入出力可能な信号端子と、複数の信号変換部と信号端子との間に設けられ、信号端子へ入力された制御信号に応じて、複数の信号変換部から出力された信号のうち所望の信号を信号端子へ伝達するための信号選択回路と、複数の信号変換部への電圧供給を制御する電源制御部とを備える。電源制御部は、複数の信号変換部のうちの、制御信号に応じて選択された信号変換部に対して、動作電圧を供給し、それ以外の信号変換部に対しては、動作電圧の供給を停止する。【選択図】　　　　図１
2004140594.tif 000002
【特許請求の範囲】
【請求項１】
衛星から送信された複数の信号にそれぞれ対応して設けられ、各々が、対応する信号を周波数変換して出力するための複数の信号変換部と、
電気的な信号を入出力可能な信号端子と、
前記複数の信号変換部と前記信号端子との間に設けられ、前記信号端子へ入力された制御信号に応じて、前記複数の信号変換部から出力された信号を前記信号端子へ選択的に伝達するための信号選択回路と、
前記複数の信号変換部への電圧供給を制御する電源制御部とを備え、
前記電源制御部は、前記複数の信号変換部のうちの、前記制御信号に応じて選択された信号変換部に対して、動作電圧を供給し、それ以外の信号変換部に対しては、前記動作電圧の供給を停止する、衛星放送受信装置。
【請求項２】
前記信号端子に接続された受信制御部と、
前記信号端子に入力された電圧を所定レベルへ変換するための電圧変換回路とをさらに備え、
前記受信制御部は、前記制御信号を生成し、
前記動作電圧は、前記電圧変換回路で変換された電圧である、請求項１に記載の衛星放送受信装置。
【請求項３】
前記制御信号は、前記複数の信号のいずれを選択するかに応じて、異なるレベルに設定された直流電圧である、請求項１に記載の衛星放送受信装置。
【請求項４】
前記制御信号は、前記複数の信号のいずれを選択するかの情報を示すためのデジタル信号であり、所定周期ごとに、第１および第２の電圧レベルのいずれかに設定される、請求項１に記載の衛星放送受信装置。
【請求項５】
前記制御信号は、所定レベルの直流電圧に対して、前記複数の信号のいずれを選択するかの情報に応じて、所定周波数の交流電圧が選択的に重畳された信号である、請求項１に記載の衛星放送受信装置。
【請求項６】
前記所定レベルは、前記複数の信号のいずれを選択するかの前記情報に応じて、選択的に設定される、請求項５に記載の衛星放送受信装置。
【請求項７】
前記制御信号は、所定レベルの直流電圧にデジタルデータを表現するための所定の規格信号が重畳された信号である、請求項１に記載の衛星放送受信装置。
【請求項８】
前記複数の信号は、複数の前記衛星から送信される、請求項１に記載の衛星放送受信装置。
【請求項９】
前記信号端子は、複数個設けられ、
前記複数個の信号端子には、それぞれ異なる受信制御部が接続可能であり、
各前記受信制御部は、互いに独立した前記制御信号を生成し、
前記信号選択回路は、前記複数の信号変換部から出力された信号を、前記独立した制御信号にそれぞれ応じて、前記異なる受信制御部にそれぞれ対応する前記信号端子に対して選択的に伝達する、請求項１に記載の衛星放送受信装置。
【請求項１０】
前記電源制御部は、前記複数の信号変換部のうちの、前記独立した制御信号のいずれかによって選択された信号変換部に対して前記動作電圧を供給し、それ以外の信号変換部に対しては、前記動作電圧の供給を停止する、請求項９に記載の衛星放送受信装置。
【発明の詳細な説明】
【０００１】
【発明の属する技術分野】
本発明は、衛星放送受信装置に関し、より特定的には低消費電力化を図った衛星放送受信装置に関する。
【０００２】
【従来の技術】
現在、北米の上空では、西経１１０°および１１９°付近に、ダウンリンクの信号周波数帯が１２．２〜１２．７ＧＨｚのＢＳＳ（Ｂｒｏａｄｃａｓｔ　Ｓａｔｅｌｌｉｔｅ　Ｓｅｒｖｉｃｅ）周波数帯である２つの放送衛星が打ち上げられている。一方、西経９１°付近には、ダウンリンクの信号周波数帯が１１．７〜１２．２ＧＨｚのＦＳＳ（Ｆｉｘｅｄ　Ｓａｔｅｌｌｉｔｅ　Ｓｅｒｖｉｃｅ）周波数帯である通信衛星が打ち上げられている。
【０００３】
ＢＳＳ周波数帯では、衛星からの送信信号として、左旋円偏波および右旋円偏波の２種類の円偏波による信号が用いられる。一方、ＦＳＳ周波数帯では、衛生からの送信信号として、水平偏波および垂直偏波の２種類の直線偏波による信号が用いられる。
【０００４】
放送衛星が少なかった時代では、１つの衛星放送受信装置で１つの衛星からの単一の信号を受信できればよかったが、近年の放送衛星の増加にともない、１つの衛星放送受信装置で、衛星からの複数の信号を受信可能な装置のニーズが高まっている。
【０００５】
従来の衛星放送受信装置において、たとえば１つの受信アンテナで衛星からの複数の信号（たとえば、水平偏波および垂直偏波）を受信可能な構成が開示されている（例えば、特許文献１参照）。
【０００６】
図８は、衛星からの複数の信号を受信可能な従来の衛星放送受信装置１０３の構成を示すブロック図である。図８では、１例として、２つの衛星からの２種類の信号を受信可能な従来の衛星放送受信装置の構成を示している。
【０００７】
図８を参照して、衛星放送受信装置１０３は、１２．２〜１２．７ＧＨｚのＢＳＳ周波数帯の２種類の円偏波信号である左旋偏波信号および右旋偏波信号を受ける受信端子１０ａ，１０ｂ，１０ｃおよび１０ｄを備える。受信端子１０ａ，１０ｂ，１０ｃおよび１０ｄは、１つのアンテナ（図示せず）に設けられている。
【０００８】
受信端子１０ａおよび１０ｂは、西経１１９°の衛星からの左旋偏波信号Ｌ１および右旋偏波信号Ｒ１をそれぞれ受信する。一方、受信端子１０ｃおよび１０ｄは、西経１１０°の衛星からの右旋偏波信号Ｒ２および左旋偏波信号Ｌ２をそれぞれ受信する。なお、以下、本明細書においては、左旋偏波信号Ｌ１、右旋偏波信号Ｒ１、右旋偏波信号Ｒ２および左旋偏波信号Ｌ２のそれぞれを、単にＬ１，Ｒ１，Ｒ２およびＬ２とも称する。
【０００９】
衛星放送受信装置１０３は、さらに、低雑音な増幅器であるＬＮＡ（Ｌｏｗ　Ｎｏｉｓｅ　Ａｍｐｌｉｆｉｅｒ）１１と、所定周波数を有する信号のみを通過させるＢＰＦ（Ｂａｎｄ　Ｐａｓｓ　Ｆｉｌｔｅｒ）１２ａ，１２ｂ，１２ｃおよび１２ｄと、９５０ＭＨｚ〜１４５０ＭＨｚの中間周波数帯の信号を出力するミキサ１３と所定周波数を有する信号を出力する局部発振回路４０とを備える。
【００１０】
ＬＮＡ１１は、ＬＮＡ１１ａ，ＬＮＡ１１ｂ，ＬＮＡ１１ｃおよびＬＮＡ１１ｄを含む。ＬＮＡ１１ａおよびＬＮＡ１１ｂは、Ｌ１およびＲ１をそれぞれ増幅する。ＬＮＡ１１ｃおよびＬＮＡ１１ｄは、Ｒ２およびＬ２をそれぞれ増幅する。
【００１１】
ＢＰＦ１２ａおよび１２ｂは、ＬＮＡ１１ａおよびＬＮＡ１１ｂにより増幅されたＬ１およびＲ１の有する不要な周波数帯であるイメージ周波数（たとえば、１０ＧＨｚ付近の周波数）を除去してそれぞれ出力する。ＢＰＦ１２ｃおよび１２ｄは、ＬＮＡ１１ｃおよびＬＮＡ１１ｄにより増幅されたＲ２およびＬ２の有するイメージ周波数を除去してそれぞれ出力する。
【００１２】
ミキサ１３は、ミキサ１３ａ，ミキサ１３ｂ，ミキサ１３ｃおよびミキサ１３ｄを含む。ミキサ１３ａおよびミキサ１３ｂは、イメージ周波数が除去されたＬ１およびＲ１と局部発振回路４０から出力された所定周波数（たとえば、１１．２５ＧＨｚ）の信号とを乗算して、９５０ＭＨｚ〜１４５０ＭＨｚの中間周波数を有するＬ１’およびＲ１’をそれぞれ出力する。
【００１３】
ミキサ１３ｃおよびミキサ１３ｄは、イメージ周波数が除去されたＲ２およびＬ２と局部発振回路４０から出力された所定周波数の信号とを乗算して、９５０ＭＨｚ〜１４５０ＭＨｚの中間周波数を有するＲ２’およびＬ２’をそれぞれ出力する。
【００１４】
すなわち、Ｌ１，Ｒ１，Ｒ２およびＬ２の各々は、ＬＮＡ１１ａ，ＬＮＡ１１ｂ，ＬＮＡ１１ｃおよびＬＮＡ１１ｄのそれぞれと、ＢＰＦ１２ａ，ＢＰＦ１２ｂ，ＢＰＦ１２ｃおよびＢＰＦ１２ｄのそれぞれと、ミキサ１３ａ，ミキサ１３ｂ，ミキサ１３ｃおよびミキサ１３ｄのそれぞれとにより周波数変換され、それぞれＬ１’，Ｒ１’，Ｒ２’およびＬ２’となる。
【００１５】
衛星放送受信装置１０３は、さらに、複数の信号を切替えて出力可能なスイッチ回路１５と、スイッチ回路１５から出力された信号を増幅するＩＦ（Ｉｎｔｅｒｍｅｄｉａｔｅ　Ｆｒｅｑｕｅｎｃｙ）アンプ１６ａおよび１６ｂと、入力された信号の直流成分をカットするキャパシタ１７ａおよび１７ｂと、入出力端子２１ａおよび２１ｂとを備える。
【００１６】
衛星放送受信装置１０３は、さらに、入出力端子２１ａおよび２１ｂにそれぞれ接続されるレシーバ２２ａおよび２２ｂと、ダイオード２０ａおよび２０ｂと、制御マイコン１８と、入力された信号の電圧を所望の電圧値に変換させる電圧変換回路１９と、電源制御回路１４とを備える。レシーバ２２ａおよび２２ｂは、たとえば、衛星放送チューナを内蔵したテレビやビデオ等である。制御マイコン１８は、レシーバからの信号が有する電圧を所望の電圧レベルまで下降させるための抵抗を内部に有する。
【００１７】
スイッチ回路１５は、入力されたＬ１’，Ｒ１’，Ｒ２’およびＬ２’のうちの２つの信号をＩＦアンプ１６ａおよび１６ｂにそれぞれ出力することができる。さらに、スイッチ回路１５ａは、入力されたＬ１’，Ｒ１’，Ｒ２’およびＬ２’のうちの１つの信号をＩＦアンプ１６ａまたは１６ｂのいずれか１つに出力することもできる。さらに、スイッチ回路１５ａは、入力されたＬ１’，Ｒ１’，Ｒ２’およびＬ２’のうちの１つの信号をＩＦアンプ１６ａおよび１６ｂに出力することもできる。スイッチ回路１５から出力された信号は、ＩＦアンプ１６ａまたは１６ｂに出力される。ＩＦアンプ１６ａおよび１６ｂに入力された信号の各々は、キャパシタ１７ａおよび１７ｂをそれぞれ介して、入出力端子２１ａおよび２１ｂにそれぞれ入力される。
【００１８】
レシーバ２２ａおよびレシーバ２２ｂから出力される、衛星からの複数の信号のうち所望の信号を選択するための制御信号は、入出力端子２１ａおよび２１ｂと、ダイオード２０ａおよび２０ｂをそれぞれ介して、制御マイコン１８および電圧変換回路１９に入力される。制御マイコン１８は、レシーバ２２ａから制御信号を受けると、スイッチ回路１５へ選択信号ＳＷＣ１を出力し、レシーバ２２ｂから制御信号を受けると、スイッチ回路１５へ選択信号ＳＷＣ２を出力する。選択信号ＳＷＣ１およびＳＷＣ２は、Ｌ１’，Ｒ１’，Ｒ２’およびＬ２’のうち、所望の信号を選択するための信号である。
【００１９】
一般的にレシーバから供給される電圧は、衛星放送受信装置内の回路で使用される電圧より大きいので、電圧変換回路１９は、レシーバ２２ａまたはレシーバ２２ｂからの少なくとも１方からの所定電圧を有する出力信号の交流成分を取り除き、所望の電圧に下降させ、電圧を電源制御回路１４に供給する。
【００２０】
電源制御回路１４は、レシーバ２２ａまたはレシーバ２２ｂの少なくとも１方が、入出力端子２１ａまたは２１ｂに接続されている場合、衛星放送受信装置１０３の動作に必要な回路に電圧を供給する。すなわち、レシーバ２２ａおよびレシーバ２２ｂが、入出力端子２１ａおよび２１ｂのどちらにも接続されていない場合は、衛星放送受信装置１０３は非活性状態となる。なお、衛星放送受信装置１０３では、例示として、電源制御回路１４は、ＬＮＡ１１およびミキサ１３にのみ電圧を供給するよう図示しているが、実際には、制御マイコン１８、ＩＦアンプ１６ａ、１６ｂおよび局部発振回路４０にも電圧を供給している。
【００２１】
制御マイコン１８は、レシーバ２２ａまたは２２ｂからの制御信号を受け、スイッチ回路１５に選択信号ＳＷＣ１またはＳＷＣ２を送信する。スイッチ回路１５は、選択信号ＳＷＣ１またはＳＷＣ２に応じて、入力される信号Ｌ１’，Ｒ１’，Ｒ２’またはＬ２’のうちの１つをＩＦアンプ１６ａまたは１６ｂに出力する。
【００２２】
したがって、レシーバ２２ａまたは２２ｂは、制御マイコン１８に制御信号を送ることにより、２つの衛星からの２種類の信号、すなわち４種類の信号のうちの所望の信号を受信することが可能となる。
【００２３】
【特許文献１】
特開２０００−２５２７４１号公報（第６頁、第９図）
【００２４】
【発明が解決しようとする課題】
以上説明したように、衛星からの複数の信号を受信可能な従来の衛星放送受信装置は、入出力端子に接続されるレシーバから供給される電圧により活性化され、衛星からの複数種類の信号のうちの１つのみが選択されたときにおいても、すべてのＬＮＡおよびミキサへ電圧が供給されていた。したがって、周波数変換するために動作する必要のないＬＮＡおよびミキサも常に動作していた。その結果、当該従来の衛星放送受信装置は、電力を無駄に消費していた。
【００２５】
無駄な電力消費は、衛星放送受信装置自体の発熱にもつながり、内部回路の電子部品は、高温状態で使用されることになる。したがって、電子部品の寿命が短くなるため、発熱は衛星放送受信装置自体の製品寿命にも影響を与える。
【００２６】
さらに、衛星放送受信装置内の内部の温度が上昇すると、内部の局部発振回路等の周波数のばらつきも大きくなり、衛星放送受信装置が誤動作する可能性も高くなる。
【００２７】
この発明は、この様な問題点を解決するためになされたものであって、この発明の目的は、衛星からの複数の送信信号を選択的に受信可能な衛星放送受信装置において、低消費電力化を図ることである。
【００２８】
【課題を解決するための手段】
この発明のある局面による衛星放送受信装置は、衛星から送信された複数の信号にそれぞれ対応して設けられ、各々が、対応する信号を周波数変換して出力するための複数の信号変換部と、電気的な信号を入出力可能な信号端子と、複数の信号変換部と信号端子との間に設けられ、信号端子へ入力された制御信号に応じて、複数の信号変換部から出力された信号を信号端子へ選択的に伝達するための信号選択回路と、複数の信号変換部への電圧供給を制御する電源制御部とを備え、電源制御部は、複数の信号変換部のうちの、制御信号に応じて選択された信号変換部に対して、動作電圧を供給し、それ以外の信号変換部に対しては、前記動作電圧の供給を停止する。
【００２９】
したがって、信号端子からの制御信号により、衛星からの複数の信号を選択的に受信することができる。また、選択された信号変換部に対してのみ、動作電圧を供給しているので、低消費電力化を図ることができる。
【００３０】
好ましくは、信号端子に接続された受信制御部と、信号端子に入力された電圧を所定レベルへ変換するための電圧変換回路とをさらに備え、受信制御部は、制御信号を生成し、動作電圧は、電圧変換回路で変換された電圧である。
【００３１】
より好ましくは、制御信号は、複数の信号のいずれを選択するかに応じて、異なるレベルに設定された直流電圧である。
【００３２】
より好ましくは、制御信号は、複数の信号のいずれを選択するかの情報を示すためのデジタル信号であり、所定周期ごとに、第１および第２の電圧レベルのいずれかに設定される。
【００３３】
より好ましくは、制御信号は、所定レベルの直流電圧に対して、複数の信号のいずれを選択するかの情報に応じて、所定周波数の交流電圧が選択的に重畳された信号である。
【００３４】
より好ましくは、所定レベルは、複数の信号のいずれを選択するかの情報に応じて、選択的に設定される。
【００３５】
より好ましくは、制御信号は、所定レベルの直流電圧にデジタルデータを表現するための所定の規格信号が重畳された信号である。
【００３６】
より好ましくは、複数の信号は、複数の衛星から送信される。
より好ましくは、信号端子は、複数個設けられ、複数個の信号端子には、それぞれ異なる受信制御部が接続可能であり、各受信制御部は、互いに独立した制御信号を生成し、信号選択回路は、複数の信号変換部から出力された信号を、独立した制御信号にそれぞれ応じて、異なる受信制御部にそれぞれ対応する信号端子に対して選択的に伝達する。
【００３７】
したがって、信号端子が複数個設けられているので、複数の受信制御部で、衛星からの複数の信号を選択的に受信することができる。
【００３８】
より好ましくは、電源制御部は、複数の信号変換部のうちの、独立した制御信号のいずれかによって選択された信号変換部に対して動作電圧を供給し、それ以外の信号変換部に対しては、動作電圧の供給を停止する。
【００３９】
したがって、選択された信号変換部に対してのみ、動作電圧を供給しているので、低消費電力化を図ることができる。
【００４０】
【発明の実施の形態】
以下において、本発明の実施の形態について、図面を参照しながら説明する。なお、図中同一符号は同一または相当部分を示す。
【００４１】
［実施の形態１］
図１は、実施の形態１に従う衛星放送受信装置１０１の構成を示すブロック図である。
【００４２】
図１を参照して、実施の形態１に従う衛星放送受信装置１０１は、図８に示した従来の衛星放送受信装置１０３と比較して、電源制御回路１４の代わりに電源制御回路１４ａを備える点が異なる。衛星放送受信装置１０１は、衛星からの複数の信号にそれぞれ対応して設けられ、各々が、対応する信号を周波数変換するための複数の信号変換部を備える。例えば、信号変換部の１つは、ＬＮＡ１１ａ、ＢＰＦ１２ａおよびミキサ１３ａから構成され、西経１１９°の衛星からの左旋偏波信号Ｌ１をＬ１’に周波数変換する。
【００４３】
また、スイッチ回路１５は、Ｌ１’，Ｒ１’，Ｒ２’およびＬ２’のうちの中から所望の信号を選択する信号選択回路として動作する。さらに、制御マイコン１８および電源制御回路１４ａは、レシーバからの制御信号によって所望の回路に電圧を供給する電源制御部として動作する。
【００４４】
衛星放送受信装置１０１は、衛星放送受信装置１０３と比較して、さらに、制御マイコン１８が電源制御回路１４ａへ電源制御信号ＰＣ＜０：３＞を出力している点と、電源制御回路１４ａが、ＬＮＡ１１ａ，１１ｂ，１１ｃおよび１１ｄと、ミキサ１３ａ，１３ｂ，１３ｃおよび１３ｄへそれぞれ別経路で電圧を供給している点とが異なる。それ以外の構成は、図８に示した衛星放送受信装置１０３と同じであるので詳細な説明は繰り返さない。電源制御信号ＰＣ＜０：３＞は、電源制御回路１４ａから各回路へ供給されている電圧を制御するための信号である。
【００４５】
ここで、ＰＣ＜０：３＞は、ＰＣ＜０＞〜ＰＣ＜３＞を総括的に表記したものである。なお、以下、本明細書においては、同一信号を構成する複数ビットの信号を総括的に示す場合には、同様の表記を用いるものとする。また、信号および信号線の２値的な高電圧状態および低電圧状態のそれぞれを、「Ｈレベル」，「１」および「Ｌレベル」，「０」とも称する。
【００４６】
図２は、実施の形態１に従う電源制御回路１４ａの内部構成を示すブロック図である。
【００４７】
図２を参照して、電源制御回路１４ａは、スイッチ３０ａ，３０ｂ，３０ｃおよび３０ｄを含む。スイッチ３０ａは、電圧変換回路１９とＬＮＡ１１ａおよびミキサ１３ａとの間に設けられ、制御マイコン１８から入力される電源制御信号ＰＣ＜０＞がＨレベル時、電圧変換回路１９とＬＮＡ１１ａおよびミキサ１３ａとを電気的に結合する。一方、スイッチ３０ａは、電源制御信号ＰＣ＜０＞がＬレベル時、電圧変換回路１９とＬＮＡ１１ａおよびミキサ１３ａとを電気的に非結合とする。
【００４８】
スイッチ３０ｂ，３０ｃおよび３０ｄは、電圧変換回路１９とＬＮＡ１１ｂおよびミキサ１３ｂとの間、電圧変換回路１９とＬＮＡ１１ｃおよびミキサ１３ｃとの間ならびに電圧変換回路１９とＬＮＡ１１ｄおよびミキサ１３ｄとの間にそれぞれ設けられる。スイッチ３０ｂ，３０ｃおよび３０ｄへは、制御マイコン１８から電源制御信号ＰＣ＜１＞、ＰＣ＜２＞およびＰＣ＜３＞がそれぞれ入力される。スイッチ３０ｂ，３０ｃおよび３０ｄは、各スイッチに入力される電源制御信号ＰＣ＜１：３＞がＨおよびＬレベルのとき、電圧変換回路１９と各スイッチに対応するＬＮＡおよびミキサとをそれぞれ電気的に結合状態および非結合状態とする。
【００４９】
衛星からの複数の信号を受信する動作は、従来の衛星放送受信装置１０３のときと同様なので詳細な説明は繰り返さない。
【００５０】
以下に、衛星放送受信装置１０１において、衛星から複数の信号のうちの所望の信号を選択しつつ、低消費電力化を図るための方法の１例を４つ記載する。
【００５１】
（衛星からの信号選択方法１）
図１および図２を用いて、衛星放送受信装置１０１における、衛星からの信号を選択した時の電源制御動作を説明する。制御マイコン１８は、入力されるレシーバからの制御信号の電圧が、たとえば、１０〜１２Ｖ、１３〜１５Ｖ、１６〜１８Ｖおよび１９〜２１Ｖのとき、周波数変換された衛星からの信号Ｌ１’，Ｒ１’，Ｒ２’およびＬ２’をそれぞれ選択するためにスイッチ回路１５に選択信号を送信するようプログラムされているとする。
【００５２】
図３は、制御信号の電圧に対応する周波数変換された衛星からの信号を表した概念図である。
【００５３】
図３を参照して、たとえば、１０〜１２Ｖ、１３〜１５Ｖ、１６〜１８Ｖおよび１９〜２１Ｖの電圧を有する制御信号は、周波数変換された衛星からの信号Ｌ１’，Ｒ１’，Ｒ２’およびＬ２’にそれぞれ対応する。
【００５４】
再び図１および図２を参照して、以下に、衛星からの複数の信号を選択する場合における、衛星放送受信装置１０１の動作の１例を説明する。制御マイコン１８は、レシーバ２２ａから１０〜１２Ｖの電圧を有する制御信号が入力されると、Ｌ１’をレシーバ２２ａに対応するＩＦアンプ１６ａに出力するための選択信号ＳＷＣ１をスイッチ回路１５に出力する。
【００５５】
制御マイコン１８は、Ｌ１’を選択するための選択信号ＳＷＣ１を出力すると同時に、電源制御信号ＰＣ＜０＞をＨレベル、電源制御信号ＰＣ＜１：３＞をＬレベルに設定する。その結果、Ｌ１を周波数変換し、Ｌ１’にするために使用する周波数変換回路であるＬＮＡ１１ａおよびミキサ１３ａには、所定の電圧が供給され、ＬＮＡ１１ｂ，１１ｃおよび１１ｄと、ミキサ１３ｂ，１３ｃおよび１３ｄへは、電圧の供給が停止される。
【００５６】
したがって、衛星からの複数種類の信号のうち、選択された信号以外の信号を周波数変換するための回路群は、非活性状態となる。その結果、衛星放送受信装置１０１は、電力を無駄に消費することなく衛星からの所望の信号のみをレシーバで受信可能となる。
【００５７】
（衛星からの信号選択方法２）
信号選択方法１では、制御信号の電圧の大小によって、衛星からの複数の信号のうちから所望の信号を選択するようにしていた。しかし、信号選択方法１では、制御マイコン１８の量子化誤差により、たとえば、制御信号の電圧が有する１２Ｖの電圧を１３Ｖと制御マイコンが誤判定してしまうと、所望の信号が選択されない。以下に所望の信号を選択する可能性を高める方法を示す。
【００５８】
図１および図２を用いて、衛星放送受信装置１０１における、衛星からの信号を選択した時の電源制御動作の別の例を説明する。制御マイコン１８は、入力されるレシーバからの制御信号の電圧が、たとえば、１３Ｖのときは、“０”、１８Ｖのときは、“１”と判定するようプログラムされているとする。
【００５９】
レシーバは、制御信号の電圧を１３Ｖまたは１８Ｖに切替えて“０”および“１”の組み合わせからなるロジック信号を制御マイコン１８に送る。なお、１ビットの信号は、所定時間（たとえば、８ｍ秒）一定の電圧値を保持するものとする。レシーバが、たとえば、８ビットのロジック信号を形成する場合、制御マイコン１８は、レシーバから“０，０，１，１，０，０，１，１”および“１，１，０，０，１，１，０，０”の信号を所定時間（たとえば、６４ｍ秒）以内に受けると、それぞれ西経１１９°および西経１１０°の衛星からの信号を選択するための選択信号をスイッチ回路１５に送信するようプログラムされているとする。
【００６０】
また、制御マイコン１８は、レシーバから８ビットのロジック信号を受信した後、たとえば、１３Ｖおよび１８Ｖの一定の電圧値を有する信号が所定時間（たとえば、３秒）以上入力されたとき、衛星からの信号のうちの左旋偏波信号および右旋偏波信号をそれぞれ選択するための選択信号をスイッチ回路１１に送信するようプログラムされているとする。上記のように、制御マイコン１８をプログラムすることにより、制御マイコン１８が、量子化誤差によって所望の信号でない信号を選択する可能性が少なくなるので、信号選択方法１よりも所望の信号を選択できる可能性が高まる。
【００６１】
図４は、ロジック信号と一定の電圧を有した信号を組み合わせた状態を示す概念図である。
【００６２】
図４を参照して、Ｂは１ビットの信号が制御マイコンに認識される時間を表す。Ｔ１は、８ビットのロジック信号が制御マイコン１６に認識される時間を表す。Ｔ２は、制御信号が一定の電圧を所定時間以上維持している時間を表す。図４において、一例として、Ｂは８ｍ秒、Ｔ１は６４ｍ秒、Ｔ２は３秒以上であるとする。また、Ｔ１の期間の制御信号は、一例として、１３Ｖと１８Ｖの電圧の組合せからなり、制御マイコンに“１，１，０，０，１，１，０，０”と認識されるロジック信号である。Ｔ２の期間は、１３Ｖの電圧を維持する制御信号を表している。
【００６３】
再び図１および図２を参照して、以下に、衛星からの複数の信号を選択する場合における、衛星放送受信装置１０１の動作の１例を説明する。制御マイコン１８は、６４ｍ秒以内の時間にレシーバ２２ｂから“１，１，０，０，１，１，０，０”からなるロジック信号を受信した後、１３Ｖの電圧を有する信号が３秒以上入力されると、西経１１０°の衛星からの左旋偏波信号Ｌ２が周波数変換されたＬ２’をレシーバ２２ｂに対応するＩＦアンプ１６ｂに出力するための選択信号ＳＷＣ２をスイッチ回路１５に出力する。
【００６４】
制御マイコン１８は、Ｌ２’を選択するための選択信号ＳＷＣ２を出力すると同時に、電源制御信号ＰＣ＜３＞をＨレベル、電源制御信号ＰＣ＜０：２＞をＬレベルに設定する。その結果、Ｌ２を周波数変換し、Ｌ２’にするために使用する周波数変換回路であるＬＮＡ１１ｄおよびミキサ１３ｄには、所定の電圧が供給され、ＬＮＡ１１ａ，１１ｂおよび１１ｃと、ミキサ１３ａ，１３ｂおよび１３ｃへは、電圧の供給が停止される。
【００６５】
したがって、衛星からの複数種類の信号のうち、選択された信号以外の信号を周波数変換するための回路群は、非活性状態となる。その結果、衛星放送受信装置１０１は、電力を無駄に消費することなく衛星からの所望の信号のみをレシーバで受信可能となる。
【００６６】
なお、本例では、ロジック信号と一定の電圧を組み合わせて、衛星からの複数の信号のうちの所望の信号を選択する例を説明したが、レシーバからのロジック信号だけで、衛星からの複数の信号のうちの所望の信号を選択するようにしてもよい。たとえば、制御マイコン１８は、レシーバから“０，１，０，１，０，１，０，１”、　“１，０，０，１，０，１，０，１”、“０，１，０，１，０，１，１，０”および“１，０，０，１，０，１，１，０”のロジック信号が入力された場合、衛星からの信号を周波数変換したＬ１’，Ｒ１’，Ｒ２’およびＬ２’をそれぞれ選択するようプログラムされていれば、ロジック信号だけで衛星からの所望の信号を選択可能となる。
【００６７】
（衛星からの信号選択方法３）
次に、図１および図２を用いて、衛星放送受信装置１０１における、衛星からの信号を選択した時の電源制御動作のさらに別の例を説明する。制御マイコン１８は、レシーバから入力される制御信号の電圧に所定の周波数（たとえば、３８ＫＨｚ）の信号が重畳されているか否かを判定できるようプログラムされているとする。さらに、制御マイコン１８は、たとえば、１３Ｖの電圧値を有する制御信号に３８ｋＨｚの信号が重畳されているか否かで、Ｌ１’およびＲ１’をそれぞれ選択し、１８Ｖ電圧値を有する制御信号に３８ｋＨｚの信号が重畳されているか否かで、Ｒ２’およびＬ２’をそれぞれ選択するためにスイッチ回路１５に選択信号を送信するようプログラムされているとする。上記のように、制御マイコン１８をプログラムすることにより、制御マイコン１８が、量子化誤差によって所望の信号でない信号を選択する可能性が少なくなるので、信号選択方法１よりも所望の信号を選択できる可能性が高まる。
【００６８】
図５は、一定の電圧値を有する信号に所定の周波数をもった信号が重畳された状態を視覚的に示した概念図である。
【００６９】
図５を参照して、図５では、１例として、一定の電圧値を有する信号に周波数が３８ｋＨｚのパルス信号が重畳された状態を示している。信号選択方法３では、たとえば、１３Ｖの電圧を有する制御信号に、３８ｋＨｚの信号が重畳されているか否かで、Ｌ１’およびＲ１’がそれぞれ選択され、１８Ｖの電圧を有する制御信号に、３８ｋＨｚの信号が重畳されているか否かで、Ｒ２’およびＬ２’がそれぞれ選択される。
【００７０】
以下に、再び図１および図２を参照して、衛星からの複数の信号を選択する場合における、衛星放送受信装置１０１の動作の１例を説明する。制御マイコン１８は、レシーバ２２ａから１８Ｖの電圧値を有する制御信号に３８ＫＨｚの信号が重畳された信号が入力されると、Ｒ２’をレシーバ２２ａに対応するＩＦアンプ１６ａに出力するための選択信号ＳＷＣ１をスイッチ回路１５に出力する。
【００７１】
制御マイコン１８は、Ｒ２’を選択するための選択信号ＳＷＣ１を出力すると同時に、電源制御信号ＰＣ＜２＞をＨレベル、電源制御信号ＰＣ＜０：１＞およびＰＣ＜３＞をＬレベルに設定する。その結果、Ｒ２を周波数変換し、Ｒ２’にするために使用する周波数変換回路であるＬＮＡ１１ｃおよびミキサ１３ｃには、所定の電圧が供給され、ＬＮＡ１１ａ、１１ｂおよび１１ｄと、ミキサ１３ａ、１３ｂおよび１３ｄへは、電圧の供給が停止される。
【００７２】
したがって、衛星からの複数種類の信号のうち、選択された信号以外の信号を周波数変換するための回路群は、非活性状態となる。その結果、衛星放送受信装置１０１は、電力を無駄に消費することなく衛星からの所望の信号のみをレシーバで受信可能となる。
【００７３】
（衛星からの信号選択方法４）
次に、図１および図２を用いて、衛星放送受信装置１０１における、衛星からの信号を選択した時の電源制御動作のさらに別の例を説明する。制御マイコン１８は、レシーバから入力される制御信号の電圧に所定周波数（たとえば、２２ＫＨｚ）の信号が重畳されているか否かを判定できるようプログラムされているとする。当該所定周波数の信号には、所定の規格信号の１例として、欧州の衛星関連会社が規定した衛星放送用機器の制御を目的としたＤｉｓｅｑ（Ｄｉｇｉｔａｌ　Ｓａｔｅｌｌｉｔｅ　Ｅｑｕｉｐｍｅｎｔ　Ｃｏｎｔｒｏｌ）信号を使用する。
【００７４】
図６は、Ｄｉｓｅｑ信号を説明するための概念図である。
図６を参照して、Ｄｉｓｅｑ信号は１．５ｍ秒を１ビット単位としてデータの“０”または“１”を表現する。Ｄｉｓｅｑ信号は、１．０ｍ秒連続して２２ＫＨｚの周波数を有し、その後の０．５ｍ秒の期間において、０Ｈｚの周波数を有する場合、“０”を表す。一方、Ｄｉｓｅｑ信号は、０．５ｍ秒連続して２２ＫＨｚの周波数を有し、その後の１．０ｍ秒の期間において、０Ｈｚの周波数を有する場合、“１”を表す。
【００７５】
再び図１および図２を参照して、制御マイコン１８ａは、所定の電圧（たとえば、１３Ｖ）を有する信号に、たとえば、８ビットのロジックから構成されるＤｉｓｅｑ信号が重畳されている信号を識別できるようプログラムされているとする。さらに、制御マイコン１８は、レシーバから“０，１，０，１，０，１，０，１”、　“１，０，０，１，０，１，０，１”、“０，１，０，１，０，１，１，０”および“１，０，０，１，０，１，１，０”のロジックを形成するＤｉｓｅｑ信号が重畳された信号が入力された場合、Ｌ１’，Ｒ１’，Ｒ２’およびＬ２’をそれぞれ選択するためにスイッチ回路１５に選択信号を送信するようプログラムされているとする。上記のように、制御マイコン１８をプログラムすることにより、制御マイコン１８が、量子化誤差によって所望の信号でない信号を選択する可能性が少なくなるので、信号選択方法１よりも所望の信号を選択できる可能性が高まる。
【００７６】
以下に、衛星からの複数の信号を選択する場合における、衛星放送受信装置１０１の動作の１例を説明する。制御マイコン１８は、レシーバ２２ｂから１３Ｖの電圧値を有する制御信号に“１，０，０，１，０，１，０，１”のロジックを形成するＤｉｓｅｑ信号が重畳された信号が入力されると、Ｒ１’をレシーバ２２ｂに対応するＩＦアンプ１６ｂに出力するための選択信号ＳＷＣ２をスイッチ回路１５に出力する。
【００７７】
制御マイコン１８は、Ｒ１’を選択するための選択信号ＳＷＣ２を出力すると同時に、電源制御信号ＰＣ＜１＞をＨレベル、電源制御信号ＰＣ＜０＞およびＰＣ＜２：３＞をＬレベルに設定する。その結果、Ｒ１を周波数変換し、Ｒ１’にするために使用する周波数変換回路であるＬＮＡ１１ｂおよびミキサ１３ｂには、所定の電圧が供給され、ＬＮＡ１１ａ、１１ｃおよび１１ｄと、ミキサ１３ａ、１３ｃおよび１３ｄへは、電圧の供給が停止される。
【００７８】
したがって、衛星からの複数種類の信号のうち、選択された信号以外の信号を周波数変換するための回路群は、非活性状態となる。その結果、衛星放送受信装置１０１は、電力を無駄に消費することなく衛星からの所望の信号のみをレシーバで受信可能となる。
【００７９】
以上説明したように、実施の形態１に従う衛星放送受信装置１０１は、衛星から複数の信号のうちの所望の信号を選択しつつ、低消費電力化を図ることが可能となる。その結果、衛星放送受信装置の発熱をおさえることができ、衛星放送受信装置の製品寿命を延ばすことが可能となる。さらに、衛星放送受信装置自体の発熱をおさえることにより、衛星放送受信装置が誤動作する可能性を低減することができる。
【００８０】
［実施の形態１の変形例］
図７は、実施の形態１の変形例に従う衛星放送受信装置１０２の構成を示すブロック図である。
【００８１】
図７を参照して、実施の形態１の変形例に従う衛星放送受信装置１０２は、図１に示した衛星放送受信装置１０１と比較して、入出力端子２１ｃと、レシーバ２２ｃとをさらに備える点が異なる。
【００８２】
これに伴って、衛星放送受信装置１０２は、衛星放送受信装置１０１と比較して、さらに、スイッチ回路１５の代わりにスイッチ回路１５ａを備える点と、電圧変換回路１９の代わりに電圧変換回路１９ａを備える点と、ＩＦアンプ１６ｃと、キャパシタ１７ｃと、ダイオード２０ｃとをさらに備える点とが異なる。
【００８３】
衛星放送受信装置１０２は、衛星放送受信装置１０１と比較して、さらに、レシーバ２２ｃからの制御信号がダイオード２０ｃを介して、制御マイコン１８および電圧変換回路１９にさらに入力されている点と、制御マイコン１８がレシーバ２２ｃからの制御信号に応じて、スイッチ回路１５ａへ選択信号ＳＷＣ３を送信するとともに、電源制御回路１４ａへ電源制御信号ＰＣ＜０：３＞を送信する点とが異なる。それ以外の構成は、図１に示した衛星放送受信装置１０１と同じであるので詳細な説明は繰り返さない。選択信号ＳＷＣ３は、Ｌ１’，Ｒ１’，Ｒ２’およびＬ２’のうち、所望の信号を選択するための信号である。
【００８４】
スイッチ回路１５ａは、入力されたＬ１’，Ｒ１’，Ｒ２’およびＬ２’のうちの３つの信号をＩＦアンプ１６ａ、１６ｂおよび１６ｃにそれぞれ出力することができる。さらに、スイッチ回路１５ａは、入力されたＬ１’，Ｒ１’，Ｒ２’およびＬ２’のうちの２つの信号をＩＦアンプ１６ａ、１６ｂおよび１６ｃのうちの２つまたは３つすべてに出力することもできる。ただし、ＩＦアンプ１６ａ、１６ｂおよび１６ｃの各々は、スイッチ回路１５ａから出力される複数の信号のうちの１つの信号しか入力されない。したがって、Ｌ１’，Ｒ１’，Ｒ２’およびＬ２’のうちの２つの信号がＩＦアンプ１６ａ、１６ｂおよび１６ｃのすべてに出力されるときは、Ｌ１’，Ｒ１’，Ｒ２’およびＬ２’のうちのすくなくとも１つの信号はＩＦアンプ１６ａ、１６ｂおよび１６ｃのうちの２つに出力されることになる。
【００８５】
さらに、スイッチ回路１５ａは、入力されたＬ１’，Ｒ１’，Ｒ２’およびＬ２’のうちの１つの信号をＩＦアンプ１６ａ、１６ｂまたは１６ｃのうちの１つまたは２つもしくは３つすべてに出力することもできる。
【００８６】
スイッチ回路１５ａから出力された信号は、ＩＦアンプ１６ａ、１６ｂまたは１６ｃに出力される。ＩＦアンプ１６ａ、１６ｂおよび１６ｃに入力された信号のそれぞれは、キャパシタ１７ａ、１７ｂ、１７ｃをそれぞれ介して、入出力端子２１ａ、２１ｂおよび２１ｃにそれぞれ入力される。
【００８７】
電圧変換回路１９ａは、レシーバ２２ａ、レシーバ２２ｂまたはレシーバ２２ｃからの少なくとも１方からの所定電圧を有する出力信号の交流成分を取り除き、所望の電圧に下降させ、電圧を電源制御回路１４に供給する。
【００８８】
衛星からの複数の信号を受信する動作は、従来の衛星放送受信装置１０３のときと同様なので詳細な説明は繰り返さない。
【００８９】
また、衛星放送受信装置１０２は、実施の形態１で記載した衛星からの複数の信号のうちの所望の信号を選択しつつ、低消費電力化を図るための方法の４つを適用できるが、衛星放送受信装置１０１と同様な動作であるので、詳細な説明は繰り返さない。
【００９０】
実施の形態１の変形例に従う衛星放送受信装置１０２は、スイッチ回路１５ａの機能により、実施の形態１に従う衛星放送受信装置１０１の奏する効果に加えて、３つのレシーバうちの少なくとも１つのレシーバからの制御信号により、衛星から複数の信号のうちの所望の信号を選択しつつ、低消費電力化を図ることが可能となる。
【００９１】
なお、実施の形態１の変形例においては、４つの信号のうちの異なる３つの信号を選択可能な構成を代表的に説明したが、本願適用はこのような構成に限定されるものではない。たとえば、４つの信号をそれぞれ別個に出力可能なスイッチ回路を使用し、ＩＦアンプ、キャパシタ、入出力端子およびレシーバをさらに設ければ、４つのレシーバのうちの少なくとも１つのレシーバからの制御信号により、衛星から複数の信号のうちの所望の信号を選択しつつ、低消費電力化を図ることも可能となる。すなわち、本発明では、４つ以上のレシーバが接続できる構成とすれば、より多くのレシーバから所望の信号を選択可能となる。
【００９２】
また、実施の形態１または実施の形態１の変形例においては、２つの衛星からの異なる２種類の信号を受信する構成を代表的に説明したが、本願適用はこのような構成に限定されるものではない。たとえば、ＬＮＡ、ＢＰＦ、ミキサ、ＩＦアンプ、キャパシタ、入出力端子およびダイオード等をさらに必要なだけ設け、衛星からの複数の信号を選択するためのスイッチ回路を変更することにより、３つ以上からの衛星の信号を受信することも可能である。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９４】
【発明の効果】
本発明による衛星放送受信装置は、レシーバからの制御信号により、衛星からの複数の信号のうちの所望の信号を選択するとともに、選択された信号以外の信号を周波数変換するために必要な回路を非活性状態とすることで、低消費電力化を図ることが可能となる。その結果、衛星放送受信装置の発熱をおさえることができ、衛星放送装置の製品寿命を延ばすことが可能となる。さらに、衛星放送受信装置自体の発熱をおさえることにより、衛星放送受信装置が誤動作する可能性を低減することができる。
【図面の簡単な説明】
【図１】実施の形態１に従う衛星放送受信装置の構成を示すブロック図である。
【図２】実施の形態１に従う電源制御回路の内部構成を示すブロック図である。
【図３】制御信号の電圧に対応する周波数変換された衛星からの信号を表した概念図である。
【図４】ロジック信号と一定の電圧を有した信号を組み合わせた状態を示す概念図である。
【図５】一定の電圧値を有する信号に所定の周波数をもった信号が重畳された状態を視覚的に示した概念図である。
【図６】Ｄｉｓｅｑ信号を説明するための概念図である。
【図７】実施の形態１の変形例に従う衛星放送受信装置の構成を示すブロック図である。
【図８】衛星からの複数の信号を受信可能な従来の衛星放送受信装置の構成を示すブロック図である。
【符号の説明】
１０ａ，１０ｂ，１０ｃ，１０ｄ　受信端子、１１，１１ａ，１１ｂ，１１ｃ，１１ｄ　ＬＮＡ、１２ａ，１２ｂ，１２ｃ，１２ｄ　ＢＰＦ、１３，１３ａ，１３ｂ，１３ｃ，１３ｄ　ミキサ、１４，１４ａ　電源制御回路、１５，１５ａスイッチ回路、１６ａ，１６ｂ，１６ｃ　ＩＦアンプ、１７ａ，１７ｂ，１７ｃ　キャパシタ、１８　制御マイコン、１９，１９ａ　電圧変換回路、２０ａ，２０ｂ，２０ｃ　ダイオード、２１ａ，２１ｂ，２１ｃ　入出力端子、２２ａ，２２ｂ，２２ｃ　レシーバ、３０ａ，３０ｂ，３０ｃ，３０ｄ　スイッチ、４０局部発振回路、１０１，　１０２　衛星放送受信装置。
【図１】
2004140594.tif 000003
【図２】
2004140594.tif 000004
【図３】
2004140594.tif 000005
【図４】
2004140594.tif 000006
【図５】
2004140594.tif 000007
【図６】
2004140594.tif 000008
【図７】
2004140594.tif 000009
【図８】
2004140594.tif 000010